(57)【要約】【課題】使用者にとって開運となるように表示することができるナビゲーション装置を提供する。【解決手段】ナビゲーション装置で自宅から目的地のセレモニーホールまでのルートを設定する場合、自宅から見てセレモニーホールの方角は鬼門の方角である北東で、慣習上好ましくないことから、ナビゲーション装置は、自宅から見て鬼門の方角にならないと共に、セレモニーホールの方角が鬼門の方角とならない暫定目的地Ａを設定し、自宅から暫定目的地Ａまでの最短ルートを探索すると共に、暫定目的地Ａから目的地のセレモニーホールまでの最短ルートを設定する。これにより、自宅から見て暫定目的地Ａが鬼門の方角とならないと共に、暫定目的地Ａから見て目的地が鬼門の方角となることを回避することができる。【選択図】　図３
2004125599.tif 000002
【特許請求の範囲】
【請求項１】
目的地までの経路を設定する経路設定手段と、
使用者の個人情報を入力する入力手段と、
出発地から前記目的地の方角が使用者にとって吉凶かを判定する判定手段とを備え、
前記経路設定手段は、前記判定手段が前記目的地の方角は凶であると判定した場合は、出発地からの方角が吉で且つ前記目的地の方角が吉であると前記判定手段が判定する位置に暫定目的地を設定し、出発地から前記暫定目的地までの経路を設定すると共に、前記暫定目的から前記目的地までの経路を設定することを特徴とするナビゲーション装置。
【請求項２】
前記経路設定手段は、使用者にとって吉となる場所を通過するように経路を設定することを特徴とする請求項１記載のナビゲーション装置。
【請求項３】
目的地までの経路を設定する経路設定手段と、
この経路設定手段が設定した経路を表示する表示手段と、
使用者の個人情報を入力する入力手段と、
使用者にとって吉となる態様を判定する判定手段と、
この判定手段が判定した吉となる態様を前記表示手段に表示する表示制御手段とを備えたことを特徴とするナビゲーション装置。
【請求項４】
前記表示制御手段は、前記表示手段に使用者にとってラッキーカラーを表示することを特徴とする請求項３記載のナビゲーション装置。
【請求項５】
前記表示制御手段は、前記表示手段に使用者にとってラッキーアイテムを表示することを特徴とする請求項３記載のナビゲーション装置。
【請求項６】
インターネットに接続する接続手段を備え、
前記判定手段は、インターネット上のサイトであることを特徴とする請求項１ないし５の何れかに記載のナビゲーション装置。
【発明の詳細な説明】
【０００１】
【発明の属する技術分野】
本発明は、目的地までの経路を設定するナビゲーション装置に関する。
【０００２】
【従来の技術】
従来、ナビゲーション装置の経路探索機能は、最短距離或は最短時間を目安として目的地までのルートを探索するものであった。
【０００３】
【発明が解決しようとする課題】
ところで、科学的な根拠はないものの、世間の慣習として開運の方角や場所或は鬼門の方角や場所という概念が広く知られており、冠婚葬祭や正月、盆暮れのなどの移動において、信心深い使用者にとっては、このような概念を考慮する必要がある場合が少なくない。
【０００４】
しかしながら、このような観点で経路探索を行うことができるナビゲーション装置はなく、自分で鬼門の方角を調べたり、専門の占い師等に依頼して、当日採用すべきルートを導き出すしかなく、使用勝手が悪かった。
また、若い世代では例えば星占いが人気があるものの、星占いの結果（例えばラッキーアイテム、ラッキーカラー等）を表示に反映するものは提供されていなかった。
本発明は上記事情に鑑みてなされたものであり、その目的は、使用者にとって開運となるように表示することができるナビゲーション装置を提供することにある。
【０００５】
【課題を解決するための手段】
請求項１の発明によれば、目的地が設定された場合は、判定手段は、出発地から目的地の方角が使用者にとって吉凶かを判定する。ここで、判定手段が目的地の方角は凶であると判定したときは、経路設定手段は、暫定目的地を設定する。この暫定目的地は、出発地からの方角が吉で且つ目的地の方角が吉と判定手段が判定する位置に設定される。従って、ナビゲーション装置で設定される暫定目的地の方角、及び暫定目的地から目的地までの方角の何れも使用者にとって凶となることを回避することができ、使用者にとって開運となる。
【０００６】
請求項２の発明によれば、使用者にとって吉となる場所を通過することができ、使用者にとって開運となる。
【０００７】
請求項３〜５の発明によれば、判定手段は使用者が吉となる態様を判定し、表示制御手段はその態様を表示手段に表示するので、使用者にとって開運となる。
【０００８】
請求項６の発明によれば、インターネット上のサイトによって判定結果が変わるので、判定結果に変化を与えることができる。
【０００９】
【発明の実施の形態】
（第１の実施の形態）
以下、本発明をカーナビゲーション装置に適用した第１の実施の形態について、図１ないし図３を参照して説明する。図１は、本実施の形態に係るナビゲーション装置（カーナビゲーション装置）１の全体の構成をブロック図で示している。尚、このナビゲーション装置１は、オーディオ，ビデオ機能（ラジオ，ＴＶ，音楽ＣＤ，ビデオＤＶＤの再生機能）を一体に備えて構成される。
【００１０】
ここで、ナビゲーション装置１は、位置検出器２、外部データ入力手段たる外部データ入力器３、操作スイッチ群（入力手段に相当）４、ＴＶ，ラジオチューナ５、これらに接続された制御手段としての制御回路（経路設定手段、判定手段、表示制御手段に相当）６、この制御回路６に接続された音声入出力装置７、例えばフルカラー液晶ディスプレイからなる表示手段たる表示装置（表示手段に相当）８、例えばＶＩＣＳシステム等のインフラとの間でデータの送受信を行なう外部情報入出力装置９、リモコンセンサ１０、オーディオ装置１１を備えて構成される。
【００１１】
そのうち位置検出器２は、周知構成の地磁気センサ１２、ジャイロスコープ１３、距離センサ１４、及び、衛星からの電波に基づいて車両の位置を測位するＧＰＳ受信機１５を有している。これら各センサ１２〜１５は、車両の適宜の部所に配設されている。制御回路６は、位置検出器２の各センサ１２〜１５が性質の異なる誤差を有しているため、各々補間しながら使用するように構成されており、これらセンサ１２〜１５からの入力に基づいて、車両の現在位置、進行方向、速度や走行距離等を高精度で検出するようになっている。尚、精度によっては、上記したセンサ１２〜１５のうちの一部から位置検出器を構成しても良く、また上記以外に、ステアリングの回転センサや、転動輪の車輪センサ等を採用することも可能である。
【００１２】
外部データ入力器３は、この場合ＤＶＤのドライブ装置からなり、地図データソースたるＤＶＤ１６，１７からの地図データ等の読取りが可能とされている。ＤＶＤ１６，１７には、ナビゲーション処理に用いる地図データ及びそれに付随した施設等の検索用データ等の各種データが記憶されており、内部記憶手段とは別の記憶手段である外設記憶媒体として機能する。地図データは、道路形状、道路幅、道路名、建造物、各種施設、地名、地形等のデータを含むと共に、その道路地図を表示装置８の画面上に再生するためのデータを含んで構成されている。また、検索用のデータは、各種の施設や店舗等の名称、住所や電話番号，郵便番号などの電話帳（タウンページ及びハローページ）に相当するデータを含んで構成される。
【００１３】
ＤＶＤ１６には、広域版（全国版）の地図データ（検索用データを含む）が記録されており、ＤＶＤ１７には、狭域詳細版（例えば中部版など）の詳細地図データ（検索用データを含む）が記録されている。この場合、ＤＶＤ１６に記録されている全国版のデータにより、日本全国におけるナビゲーション機能を実現することができるようになっているのであるが、ＤＶＤ１７に記録されている狭域詳細版のデータを用いることにより、より詳細な地図表示（例えば２５ｍスケール）や、地図の３Ｄ表示（上空後方からの視点での鳥瞰図や立体都市の中を進んでいるような表示）が可能とされ、また、より詳細な検索を行うことができるようになっている。尚、これらＤＶＤ１６，１７の記憶容量は、８．５Ｇバイトとされている。また、外部データ入力器３によって、音楽ＣＤやビデオＤＶＤを再生することも可能とされている。
【００１４】
操作スイッチ群４は、使用者（運転者）が、目的地の検索，指定や、表示装置８に表示される道路地図の選択、オーディオ，ビデオ機能に係る指示等の各種のコマンドを入力するための各種のメカニカルスイッチから構成されている。また、この操作スイッチ群４の一部は、前記表示装置８の画面上に設けられたタッチパネル（図示せず）からも構成されるようになっている。そして、この操作スイッチ群４と同等の機能を有するリモートコントロール端末１８（以下、リモコン１８と称する）も設けられており、このリモコン１８からの操作信号が、前記リモコンセンサ１０により検出されるようになっている。
【００１５】
表示装置８の画面には、通常時には、各種縮尺の道路地図（図３参照）が表示されると共に、その表示に重ね合わせて、車両の現在位置及び進行方向を示すポインタが表示されるようになっている。また、使用者が目的地などを検索，入力するための各種の入力用画面や、各種のメッセージやインフォメーション等も表示されるようになっている。さらには、目的地までの経路を探索し案内を行なうルートガイダンス機能の実行時には、道路地図に重ね合わせて進むべき経路等が表示されるようになっている。
【００１６】
制御回路６は、通常のコンピュータとして構成され、詳しく図示はしないが、ＣＰＵ、ＲＯＭ、ＲＡＭ、入出力インタフェース及びそれらを接続するバスライン等から構成されている。そして、この制御回路６は、そのソフトウエア的構成により、車両の現在位置を知るロケーション機能、使用者の指定した目的地までの経路を探索し案内するルートガイダンス機能などのナビゲーション処理を実行する制御手段として機能すると共に、オーディオ装置１１を制御して音楽演奏等を実行させるオーディオコントロールの機能を備えている。
【００１７】
ロケーション機能は、現在位置周辺の地図データを読出すことに基づいて、表示装置８に道路地図を表示させると共に、それに重ね合せて位置検出器２の検出に基づいて車両の現在位置及び進行方向を示すポインタを表示させるものである。この場合、車両の走行に伴って現在位置の表示は地図上を移動すると共に、地図は車両の位置に応じてスクロール表示されるようになる。また、このとき、車両の現在位置を道路上にのせるマップマッチングが行なわれるようになっている。さらには、使用者のコマンド入力に基づいて、表示装置８に表示させる地図の種類（縮尺や３Ｄ表示）の切替え等が行なわれる。
【００１８】
ルートガイダンスの機能は、車両の出発点（通常は現在位置）から、使用者の操作スイッチ群４の操作により指定されたあるいは検索された目的地までの推奨する走行経路を自動的に計算（探索）し、求められた走行経路（ルート）を、表示装置８の画面に表示して目的地まで案内するものである。尚、経路の探索には、周知のダイクストラ法等が用いられる。また、音声入出力装置７を用いて、目的地の入力を音声で行ったり、ルートの案内の際に、合成音声により例えば「２００ｍ先の交差点を左です」といった音声案内を併せて行ったりすることもできる。
さらに、本実施の形態では、制御回路６に携帯電話機（接続手段に相当）１９を接続可能となっており、携帯電話機１９を介してインターネット上のサイトに接続可能となっている。
【００１９】
図２は、上記構成のナビゲーション装置１の動作を示すフローチャートである。このフローチャートは、インターネットの占いサイトにアクセスし、縁起のいい方角／悪い方角、或は吉兆／凶兆のポイントを得てドライブルートを探索するためのものである。
【００２０】
ナビゲーション装置１は、個人データが登録済みかを判断し（Ｓ１０１）、登録済みでないときは、使用者に対して個人データを登録させる（Ｓ１０２）。この個人データとしては、氏名、生年月日、血液型等である。
個人データが既に登録されている場合、或は操作スイッチ群４に対する操作により個人データが登録された場合は、携帯電話機１９によりインターネットを通じて使用者が選択した占いサイトに接続して個人データを送信する（Ｓ１０３）。
【００２１】
占いサイトでは、受信した個人データに基づいて縁起のいい方角／悪い方角（鬼門）、或は吉兆ポイント／凶兆ポイントを判断し、その結果をナビゲーション装置１に送信する（Ｓ１０４）。これにより、ナビゲーション装置１は、占いサイトから占い結果を受信するようになる。
【００２２】
さて、使用者が目的地を設定したときは（Ｓ１０５）、使用者の個人情報に基づいて開運ルートを探索する（Ｓ１０６）。この開運ルートとは、使用者にとって縁起がいいルートである。具体的には、図３に示すように自宅から結婚式のためにセレモニーホールに到達するルートをナビゲーション装置１により探索した際は、使用者にとって鬼門となる方角を回避するルートを設定するのが望ましい。この場合、自宅からセレモニーホールの方角は鬼門の方角である北東であることから、通常（図３中に破線で示すルート）では、目的地が鬼門の方角と一致してしまう。
【００２３】
そこで、本実施の形態の開運ルート探索では、まず、暫定目的地Ａを設定し、その暫定目的地Ａから本来の目的地であるセレモニーホールまでの最短ルートを探索するようにした。この暫定目的地Ａとは、出発地の自宅から見て鬼門の方角である北東に位置していないと共に、目的地のセレモニーホールが鬼門である北東とならない地点である。つまり、自宅から見て暫定目的地Ａの方角は北東ではないから問題となることはないと共に、暫定目的地Ａから見てセレモニーホールの方角は北東ではないから、これも問題となることはないのである。
【００２４】
上述のように鬼門のとならない暫定目的地Ａを設定したときは、図３中に実線で示すように自宅から暫定目的地Ａまでの最短ルートを探索して表示すると共に、暫定目的地Ａを経由してセレモニーホールまでの最短ルートを探索して表示する。この場合、暫定目的地Ａを経由する最短ルートが、通常の最短ルートと比べて極端に距離が遠くならないように、例えば通常の最短ルートの１．５倍以内となるように補正するのが望ましい。
【００２５】
そして、ナビゲーション装置１は、図２に示すように探索された開運ルートを画面表示及び音声で指示する（Ｓ１０７）。従って、使用者は、ナビゲーション装置１による案内に従って自動車を運転することにより、暫定目的地Ａに到達してから、目的地のセレモニーホールに最終的に到達することができる。
【００２６】
このような実施の形態によれば、出発地から見て目的地の方角が鬼門の方角となる場合は、出発地からの方角が鬼門とならないと共に、目的地の方角が鬼門の方角とならない暫定目的地Ａを設定し、暫定目的地Ａまでの最短ルートを探索して表示すると共に、暫定目的地Ａから目的地までの最短ルートを探索して表示するようにしたので、探索ルーとして目的地の方角が鬼門とならない開運ルートを設定することができ、使用者にとって開運となる。
しかも、このように優れた効果を奏する構成は、基本的にはプログラムの改良で対処することができるので、コストが大幅に上昇することなく容易に実施することができる。
【００２７】
（第２の実施の形態）
次に本発明の第２の実施の形態を図４に基づいて説明する。この第２の実施の形態は、表示装置８に使用者にとって吉となる態様を表示することを特徴とする。
【００２８】
図４は、ナビゲーション装置１の動作を示している。この図４において、ナビゲーション装置１は、第１の実施の形態と同様に、個人データが登録されている場合は、占い方法を選択し（Ｓ２０３）、個人データと日付を選択した占い方法で処理してから（Ｓ２０４）、使用者にとって本日がラッキーとなるラッキーカラーとラッキーアイテムを画面に表示する（Ｓ２０５）。具体的には、ラッキーカラーが赤、ラッキーカラーが薔薇の場合は、赤い薔薇を表示装置８に表示する。ここで、ラッキーカラー及びラッキーアイテムに方角の依存性があるかを判断し（Ｓ２０６）、方角の依存性がある場合は、走行中の方角にしたがってラッキーカラーとラッキーアイテムを補正する（Ｓ２０７）。具体的には、ラッキーカラーが南側の方角に黄色であったときは、南進時は黄色の薔薇を表示し、その他の方角では赤い薔薇を表示する。
このような実施の形態によれば、表示装置８に使用者が開運となる態様を表示するようにしたので、使用者にとって開運となる。
【００２９】
本発明は、上記各実施の形態に限定されることなく、次のように変形または拡張できる。
例えば吉ポイントが神社であれば、地図上で神社を検索し、神社の近傍を通過するルートを選択するようにしてもよい。
個人情報に基づく開運情報をナビゲーション装置が有しているようにしてもよい。
【００３０】
暫定目的地を複数設定し、次の暫定目的地の方角が鬼門の方角とならないようにしてもよい。
ナビゲーション装置を使用する地区特有の風習を登録し、自宅が登録されたときはその自宅が位置する地区特有の慣習を設定可能とするようにしてもよい。
携帯型のナビゲーション装置に適用してもよい。
【図面の簡単な説明】
【図１】本発明の第１の実施の形態におけるナビゲーション装置の構成を示すブロック図
【図２】ナビゲーション装置の開運ルート探索動作を示すフローチャート
【図３】開運ルートの表示例を示す図
【図４】本発明の第２の実施の形態を示す図２相当図
【符号の説明】
１はナビゲーション装置、４は操作スイッチ群（入力手段）、６は制御回路（経路設定手段、判定手段、表示制御手段）、８は表示装置（表示手段）、１９は携帯電話機（接続手段）である。
【図１】
2004125599.tif 000003
【図２】
2004125599.tif 000004
【図３】
2004125599.tif 000005
【図４】
2004125599.tif 000006